(57)【特許請求の範囲】
【請求項１】
第１表示領域及び第２表示領域を有する表示部と、
外部の明るさを測定する光センサと、
前記光センサにより測定された明るさが、第１閾値未満である第１状態である場合には、各表示領域に第１輝度で画像を表示させるよう制御し、
前記光センサにより測定された明るさが、前記第１閾値以上である第２状態である場合には、前記第１状態において各表示領域にそれぞれ表示されていた第１及び第２の画像の内容を反映した第３の画像を、第１輝度よりも高い第２輝度で第１表示領域に表示させるよう制御すると共に、第２表示領域の輝度を第１輝度よりも低い第３輝度に制御する制御部とを備える
ことを特徴とする携帯端末。
【請求項２】
前記表示部は、
第１表示領域を有し、第１表示領域に光を照射する第１照明部を備える第１ディスプレイと、
第２表示領域を有し、第２表示領域に光を照射する第２照明部を備える第２ディスプレイとから構成されており、
前記制御部は、
前記光センサにより測定された明るさが、前記第１状態である場合には、各表示領域の輝度が前記第１輝度となるように、各照明部に前記照射を行わせ、
前記光センサにより測定された明るさが、前記第２状態である場合には、
第１表示領域の輝度が前記第２輝度となるように、前記第１照明部に前記照射を行わせ、第２表示領域の輝度が前記第３輝度となるように前記第２照明部による前記照射を行わせる
ことを特徴とする請求項１記載の携帯端末。
【請求項３】
第３輝度はゼロであり、
前記制御部は、
前記光センサにより測定された明るさが、前記第２状態である場合には、前記第２照明部による前記照射を停止させる
ことを特徴とする請求項２記載の携帯端末。
【請求項４】
前記携帯端末は、更に
前記第１ディスプレイの表示面上の接触位置を検出する第１タッチセンサと、
前記第２ディスプレイの表示面上の接触位置を検出する第２タッチセンサとを備え、
前記制御部は、更に
前記光センサにより測定された明るさが、前記第１状態である場合には、各タッチセンサに前記検出を行わせ、
前記光センサにより測定された明るさが、前記第２状態である場合には、第２タッチセンサによる前記検出を停止させる
ことを特徴とする請求項２記載の携帯端末。
【請求項５】
前記第３の画像は、第１及び第２の画像を構成する複数の表示物のうちの第１種の各表示物を連結及び縮小した画像を含む
ことを特徴とする請求項４記載の携帯端末。
【請求項６】
前記第３の画像は、第１及び第２の画像を構成する１以上の表示物のうちの第２種の各表示物を含む
ことを特徴とする請求項４記載の携帯端末。
【請求項７】
前記制御部は、更に
前記光センサにより測定された明るさが、前記第１閾値より小さい第２閾値以下である第３状態である場合に、前記第２状態において第１表示領域に表示されていた第４の画像の内容を反映した第５及び第６の画像を前記第１輝度で各表示領域に分けて表示させるよう制御する
ことを特徴とする請求項１記載の携帯端末。
【請求項８】
前記制御部は、更に
前記光センサにより測定された明るさが、前記第２状態である場合において、第３の画像を第１表示領域に表示させる際に、第２表示領域への表示を停止させる
ことを特徴とする請求項１記載の携帯端末。
【請求項９】
第１表示領域及び第２表示領域を有する表示部と、外部の明るさを測定する光センサとを備える携帯端末で用いられる表示制御プログラムであって、
前記光センサにより測定された明るさが、第１閾値未満である第１状態である場合には、各表示領域に第１輝度で画像を表示させるよう制御し、
前記光センサにより測定された明るさが、前記第１閾値以上である第２状態である場合には、前記第１状態において各表示領域にそれぞれ表示されていた第１及び第２の画像の内容を反映した第３の画像を、第１輝度よりも高い第２輝度で第１表示領域に表示させるよう制御すると共に、第２表示領域の輝度を第１輝度よりも低い第３輝度に制御する制御ステップを含む
ことを特徴とする表示制御プログラム。
【発明の詳細な説明】
【技術分野】
【０００１】
本発明は、複数の表示領域を有する携帯電話機等の携帯端末に関し、特に、画面の表示制御技術に関する。
【背景技術】
【０００２】
携帯電話機等の携帯端末において、従来から、表示部の視認性を確保するために、周囲の明るさに応じて表示部の輝度を制御する技術や、複数の表示領域（ディスプレイ等）を用いて大画面での表示を行う技術が知られている。
例えば、特許文献１に係る携帯電話機は、第１及び第２の表示部と光センサとを備え、その光センサが測定した明るさが所定値以下になると、自動的に、第２の表示部による表示を停止し、第１の表示部による表示のみをバックライトを減光しつつ継続するものである。これにより、暗い場所でユーザが感じる画面の眩しさを軽減して、暗い場所でも画面の視認性を維持すると共に、表示による電力消費を抑えるものである。
【先行技術文献】
【特許文献】
【０００３】
【特許文献１】特開２００６−６５０２２号公報
【発明の概要】
【発明が解決しようとする課題】
【０００４】
しかし、特許文献１に係る携帯電話機において、例えば、ユーザが、第２の表示部に表示されたＷｅｂページを参照しながら、第１の表示部に表示されたメール作成画面でメールを作成している場合に、明るい場所から暗い場所へ移動すると、上述のように、この携帯電話機は、第２の表示部の表示を停止するので、ユーザは、Ｗｅｂページを参照することができなくなってしまう。即ち、特許文献１の方法では、明るい場所から暗い場所へ移動した後も、ユーザが、２つの表示部に表示されていた内容を引き続き見たい場合に、不便である。
【０００５】
また、特許文献１に係る携帯電話機は、暗い場所から明るい場所に移動した際の視認性の維持について、考慮されたものではない。
暗い場所から明るい場所に移動すると、表示部の視認性が低下するため、一般的には、表示部の輝度を上げて表示することで、表示部の視認性の低下を抑制している。しかしながら、輝度を上げて表示すると、消費電力が増大してしまうという問題が生じる。このことは、複数の表示領域を有する携帯端末において、特に問題となる。
【０００６】
そこで、本発明は係る問題に鑑みてなされたものであり、少なくとも２つの表示領域を有する携帯端末において、周囲の明るさが変化した場合に、表示による消費電力の増大及び視認性の低下を抑制しつつ、少なくとも２つの表示領域に表示されていた内容を引き続き表示することが可能な携帯端末を提供することを目的とする。
【課題を解決するための手段】
【０００７】
上記課題を解決するために、本発明に係る携帯端末は、第１表示領域及び第２表示領域を有する表示部と、外部の明るさを測定する光センサと、前記光センサにより測定された明るさが、第１閾値未満である第１状態である場合には、各表示領域に第１輝度で画像を表示させるよう制御し、前記光センサにより測定された明るさが、前記第１閾値以上である第２状態である場合には、前記第１状態において各表示領域にそれぞれ表示されていた第１及び第２の画像の内容を反映した第３の画像を、第１輝度よりも高い第２輝度で第１表示領域に表示させるよう制御すると共に、第２表示領域の輝度を第１輝度よりも低い第３輝度に制御する制御部とを備えることを特徴とする。
【０００８】
ここで、第３の画像は、第１及び第２の画像が表す内容を反映する内容を表す画像であり、第３の画像を構成する表示物と、第１及び第２の画像を構成する表示物との表示形態は同一でも異なっていてもよい。即ち、第１及び第２の画像を構成する表示物を拡大、縮小した表示物が第３の画像に含まれていてもよいし、第１及び第２の画像を構成する複数の表示物を連結した表示物が第３の画像に含まれていてもよいし、第１及び第２の画像における各表示物の配置と、第３の画像における各表示物の配置とが異なっていてもよい。
【発明の効果】
【０００９】
上記構成を備える本発明に係る携帯端末によれば、周囲の明るさが変化した場合に、表示による消費電力の増大及び視認性の低下を抑制しつつ、少なくとも２つの表示領域に表示されていた内容を引き続き表示することが可能である。
【図面の簡単な説明】
【００１０】
【図１】実施の形態に係る携帯電話機１００の閉状態及び開状態の外観を示す図である。
【図２】携帯電話機１００の暗モード及び明モードにおける待受画面の表示例を示す図である。
【図３】携帯電話機１００の主要部の機能構成を示すブロック図である。
【図４】携帯電話機１００の論理座標系を説明するための図である。
【図５】携帯電話機１００の制御処理を示すフローチャートである。
【図６】携帯電話機１００の暗モード及び明モードにおけるメール画面の表示例を示す図である。
【図７】携帯電話機２００の開状態及び閉状態の外観を示す図である。
【発明を実施するための形態】
【００１１】
以下、本発明に係る携帯端末の実施の形態としての携帯電話機について説明する。
≪実施の形態≫
＜概要＞
実施の形態に係る携帯電話機は、２つのタッチパネル及び光センサを備え、光センサが測定した明るさに応じて、「暗モード」と「明モード」とを相互に切り替えて動作するものである。
【００１２】
ここで、「暗モード」とは、各タッチパネルの表示部を用いて表示を行うと共に、各表示部の輝度が２段階の輝度のうちのＬｏｗレベルになるように、各表示部に対応する各バックライトを点灯させるモードをいう。また、「明モード」とは、一方のタッチパネルの表示部のみを用いて表示を行うと共に、その表示部の輝度が上記２段階の輝度のうちのＨｉｇｈレベルになるように、その表示部に対応するバックライトを点灯させ、他方のタッチパネルの表示部による表示を停止させる共に、その表示部に対応するバックライトを消灯させるモードをいう。
【００１３】
以下では、本願における「第１輝度」としてＬｏｗレベルの輝度を、本願における「第２輝度」としてＨｉｇｈレベルの輝度を、本願における「第３輝度」としてゼロ（バックライトを消灯）を用いた場合を例に説明する。
＜装置構成＞
まず、実施の形態に係る携帯電話機１００の装置構成について説明する。
【００１４】
図１（ａ）は、携帯電話機１００の閉状態の外観を示す斜視図であり、（ｂ）は、携帯電話機１００の開状態の外観を示す斜視図であり、（ｃ）は、携帯電話機１００の開状態の外観を示す正面図である。
携帯電話機１００は、図１（ａ）〜（ｃ）に示されるように、第１筐体１と第２筐体２とが相対的に移動可能な、いわゆるスライド式の端末であり、第１筐体１、第２筐体２、及び第１筐体１と第２筐体２とを連結する連結機構４、４’を備えている。
【００１５】
第１筐体１には、タッチパネル１１０、スピーカ７、マイク８、及び光センサ１３０が備えられており、第２筐体２には、タッチパネル１２０が備えられている。
連結機構４は、図１（ａ）、（ｂ）に示すように、第１筐体１の側面と第２筐体２の側面とを互いに連結するための連結駒５とピン３０、３１を有している。また、連結機構４’は、第１筐体１の側面と第２筐体２の側面とを互いに連結するための連結駒５’とピン３０’、３１’を有している。なお、ピン３０’、３１’については、図示していない。ピン３０、３０’は第１筐体１に枢支されると共に、ピン３１、３１’は第２筐体２にスライド可能に係合している。
【００１６】
また、第２筐体２の連結機構４が備えられる側面には、図１（ａ）、（ｂ）に示すように、ピン３１がスライド可能となるようガイド溝６が設けられている。なお、第２筐体２の連結機構４’が備えられる側面においても、同様に、ピン３１’がスライド可能となるようガイド溝６’（図示せず）が設けられている。
携帯電話機１００は、図１（ａ）に示すように、第２筐体２に第１筐体１が重ね合わさり、タッチパネル１２０が視認できない閉状態から、連結機構４、４’により、ピン３１、３１’がガイド溝６、６’に沿ってスライドすることにより、第１筐体１が第２筐体２の表面に沿って移動し、その後、ピン３０、３０’それぞれがピン３１、３１’それぞれを中心として回転することにより、図１（ｂ）、（ｃ）に示すように、第１筐体１の表面と第２筐体２の表面とが略同一平面上に揃う開状態となり、タッチパネル１１０及び１２０が視認可能になる。
【００１７】
＜表示例＞
次に、携帯電話機１００におけるモード毎の表示の様子を、待受画面を表示する場合を例に説明する。
図２（ａ）は、暗モードにおける待受画面の表示例を示す図であり、（ｂ）は、明モードにおける待受画面の表示例を示す図である。
【００１８】
図２（ａ）では、タッチパネル１１０の表示部に、アンテナマーク１１、時計表示１２、電池マーク１３、背景画像１０の各表示物からなる画面が表示され、タッチパネル１２０の表示部に、背景画像１４上にメールアイコン１５が配置された画面が表示された例を示している。
なお、同図に示すように、タッチパネル１１０の表示部の表示領域は、マーク表示領域１１０Ｍと画像表示領域１１０Ｇとから構成され、この例では、アンテナマーク１１、時計表示１２、電池マーク１３はマーク表示領域１１０Ｍに配置され、背景画像１０は画像表示領域１１０Ｇに配置されている。
【００１９】
なお、本願では、ユーザがアイコンに指等を接触させることを、アイコンを選択するということとする。上記メールアイコン１５が選択されると、携帯電話機１００は、メールアプリケーションを起動する処理を実行する。
また、図２（ｂ）では、タッチパネル１１０の表示部のマーク表示領域１１０Ｍに、図２（ａ）と同様に、アンテナマーク１１、時計表示１２、電池マーク１３が配置され、タッチパネル１１０の表示部の画像表示領域１１０Ｇに、メールアイコン１５及び背景画像１６が配置された画面が表示され、タッチパネル１２０の表示部の表示は停止された例を示している。なお、同図のタッチパネル１２０における斜線（ハッチ）は、タッチパネル１２０の表示部の表示が停止していることを表している。
【００２０】
ここで、背景画像１６は、背景画像１０と背景画像１４とを上下に連結した画像を、タッチパネル１１０の表示部の画像表示領域１１０Ｇにおさまるように縮小した画像である。
また、アンテナマーク１１、時計表示１２、電池マーク１３は、図２（ａ）と図２（ｂ）とで、その位置及びサイズが同一になるように表示されている。また、メールアイコン１５は、図２（ａ）と図２（ｂ）とで、その位置が平行移動するように表示されている。
【００２１】
つまり、図２（ｂ）には、図２（ａ）で各タッチパネルの表示部に分割して表示されていた各表示物（背景画像１０及び１４、アンテナマーク１１、時計表示１２、電池マーク１３、メールアイコン１５）が、背景画像についてはそのサイズが縮小されつつも、もれなく表示されているといえる。
携帯電話機１００は、光センサ１３０が測定した明るさが、通常の室内や、屋外の日陰の明るさに相当する第２閾値（例えば、１０００ルクス程度）以下である状態（以下、「暗状態」という）において暗モードで動作、即ち、図２（ａ）に示すように、タッチパネル１１０及び１２０の各表示部を用いて表示を行い、各表示部の輝度がＬｏｗレベルになるよう各バックライトを点灯させる。
【００２２】
また、携帯電話機１００は、光センサ１３０が測定した明るさが、屋外の日向の明るさに相当する第１閾値（例えば、１０万ルクス程度）以上である状態（以下、「明状態」という）において明モードで動作する。即ち、携帯電話機１００は、図２（ｂ）に示すように、タッチパネル１１０の表示部のみを用いて表示を行うと共に、この表示部の輝度がＨｉｇｈレベルになるようにこの表示部に対応するバックライトを点灯させ、タッチパネル１２０の表示部に対応するバックライトを消灯させる。
【００２３】
また、携帯電話機１００は、光センサ１３０が測定した明るさが、暗状態から明状態へと変化すると、暗モードから明モードへと切り替えて動作し、また、光センサ１３０が測定した明るさが、明状態から暗状態へと変化すると、明モードから暗モードへと切り替えて動作する。
携帯電話機１００の表示態様が、図２（ａ）の表示態様から、図２（ｂ）の表示態様に切り替わったとしても、上述のように、図２（ａ）で各タッチパネルの表示部に分けて表示されていた各表示物は、図２（ｂ）においてももれなく表示されているので、ユーザが見たい内容が見られなくなるような不都合は生じない。
【００２４】
また、図２（ｂ）の表示態様に切り替わる際に、タッチパネル１１０の表示部の輝度がより高くなるようにこの表示部に対応するバックライトを点灯させると共に、タッチパネル１２０の表示部に対応するバックライトを消灯させるので、ユーザが屋外の日向等でこの携帯電話機１００を使用した場合でも、視認性を維持しつつ、消費電力を低減できる。
また、アンテナマーク１１、時計表示１２、電池マーク１３については、図２（ａ）と図２（ｂ）とで表示位置及びサイズに変更がないことから、図２（ｂ）のように、一方のタッチパネル１１０の表示部のみを用いた表示態様においても、ユーザに見やすく表示することができる。また、ユーザが指等を接触させて選択することになるメールアイコン１５については、図２（ａ）と図２（ｂ）とで、その表示サイズに変更がないことから、図２（ｂ）のように、一方のタッチパネル１１０の表示部のみを用いた表示態様においても、操作性を維持できる。
【００２５】
＜機能構成＞
図３は、携帯電話機１００の主要部の機能構成を示すブロック図である。
携帯電話機１００は、同図に示すように、タッチパネル１１０、１２０、光センサ１３０、位置記憶部１４０、及び制御部１５０を備える。
なお、同図は、本発明の特徴を実現する上で重要な各構成要素の関係を示しており、通常の携帯電話機が備える通信部や、図１で示したスピーカ７、マイク８等の図示は省略している。また、携帯電話機１００は、プロセッサ及びメモリを含んで構成されており、制御部１５０の各機能は、上述のメモリに記憶されているプログラムを上述のプロセッサが実行することにより実現される。なお、各タッチパネルの表示部に表示される各表示物は、上記メモリ上に記憶される。
【００２６】
タッチパネル１１０は、表示部１１１、入力部１１２及びバックライト１１３を、タッチパネル１２０は、表示部１２１、入力部１２２及びバックライト１２３を備える。
各表示部（１１１、１２１）は、ＬＣＤ（Liquid Crystal Display）を含み、制御部１５０からの指示を受けて各種画像をＬＣＤに表示する回路である。各ＬＣＤの画素数（横×縦）は８００×４８０画素であるものとする。
【００２７】
また、各入力部（１１２、１２２）は、ユーザによる接触を検出し、検出している間、単位時間（例えば、２５ｍｓ）毎に、その接触位置の座標値（ｘ，ｙ）を制御部１５０に送出する回路である。
なお、図１（ｃ）の各タッチパネルの表示部の左上端の座標値は（０，０）であるとし、右下端の座標値は（７９９，４７９）であるものとして説明する。また、各入力部は、例えば、静電容量方式のタッチセンサにより実現される。以下では、各入力部が送出する座標値を「物理座標値」ともいう。
【００２８】
また、各バックライト（１１３、１２３）は、制御部１５０の指示に従って、対応する表示部の輝度が指示された輝度（Ｌｏｗレベル又はＨｉｇｈレベル）になるように点灯し、又は消灯する機能を有する。
光センサ１３０は、周囲の明るさを検出し、検出した明るさに対応する電圧レベルの信号を制御部１５０へ出力する回路であり、例えば、フォトダイオードにより実現される。
【００２９】
位置記憶部１４０は、各タッチパネルの表示部（１１１、１２１）に表示される表示物毎に、明モードでの表示位置を示す座標値と暗モードでの表示位置を示す座標値とを記憶するメモリ領域である。表示物の表示位置を示す座標値は、その表示物を含む矩形の領域の左上端の座標値と右下端の座標値との組からなる。これらの座標値は、論理座標系における座標値（以下、「論理座標値」という）である。
【００３０】
ここで、論理座標系について説明する。
図４は、論理座標系を説明するための図である。
論理座標系は、同図に示すように、タッチパネル１１０の表示部１１１の左上端の座標値を（０，０）として、右方向にｘ軸を、下方向にｙ軸をとった座標系である。
同図においては、論理座標系における座標値の一例を示しており、タッチパネル１１０の表示部１１１の右上端の座標値は（７９９，０）、左下端の座標値は（０，４７９）、右下端の座標値は（７９９，４７９）である。
【００３１】
ここで、タッチパネル１１０の表示部１１１におけるマーク表示領域１１０Ｍは、左上端の座標値を（０，０）とし、右下端の座標値を（７９９，９９）とする矩形の領域であり、タッチパネル１１０の表示部１１１における画像表示領域１１０Ｇは、左上端の座標値を（０，１００）とし、右下端の座標値を（７９９，４７９）とする矩形の領域である。
【００３２】
また、タッチパネル１２０の表示部１２１の左上端の座標値は（０，４８０）、右上端の座標値は（７９９，４８０）、左下端の座標値は（０，９５９）、右下端の座標値は（７９９，９５９）である。
従って、タッチパネル１１０から受領した物理座標値と、論理座標系における論理座標値とは一致し、一方、タッチパネル１２０から受領した物理座標値のｙ座標に、「４８０」を加えたものと、論理座標系における論理座標値とが一致することになる。
【００３３】
制御部１５０は、一般的な携帯電話機が有する機能の他、特に、光センサ１３０から出力された信号に基づいて、携帯電話機１００の動作モードを、暗モードと明モードとの間で相互に切り替える機能を有し、接触検出部１５１、状態判定部１５２、処理実行部１５３、照明制御部１５４、表示制御部１５５を含んで構成される。
なお、制御部１５０は、論理座標値が（０，０）から（７９９，４７９）までの範囲をタッチパネル１１０の表示部１１１と対応付け、論理座標値が（０，４８０）から（７９９，９５９）までの範囲をタッチパネル１２０の表示部１２１と対応付けて管理している。
【００３４】
また、制御部１５０は、携帯電話機１００の電源がＯＮになった際に、携帯電話機１００が備える不揮発性メモリ（不図示）に記憶されている待受画面に含まれる各表示物の暗モードでの表示位置を示す座標値を位置記憶部１４０に登録する。なお、この待受画面に含まれる各表示物の暗モードでの表示位置を示す座標値は、携帯電話機１００のメーカ等により上記不揮発性メモリに登録され、またユーザが背景画像を変更する操作等を行うことで更新される。
【００３５】
ここで、接触検出部１５１は、各タッチパネルの入力部（１１２、１２２）から物理座標値を受領することで、各タッチパネルにおけるユーザの指等の接触を検出すると共に、受領した物理座標値を論理座標値に変換する機能を有する。
状態判定部１５２は、光センサ１３０から出力された信号に基づいて、周囲の明るさが、暗状態及び明状態のいずれであるかを判定する機能を有する。
【００３６】
なお、携帯電話機１００の電源がＯＮになった直後において、光センサ１３０から出力された信号が、第２閾値以上第１閾値未満の明るさを示す場合に、状態判定部１５２は、暗状態であると判定することとする。
また、状態判定部１５２は、周囲の明るさが、暗状態及び明状態のいずれであるかを示す情報（以下、「状態情報」という）を、上記メモリ上で管理しており、状態が変化する毎に、変化後の状態を示すように状態情報を更新する。制御部１５０内の各部は、この状態情報を参照することで、周囲の明るさの状態を知ることができる。
【００３７】
処理実行部１５３は、位置記憶部１４０に記憶されている座標値に基づいて、接触検出部１５１による変換後の論理座標値がアイコンの表示位置を示すか否かを判定し、アイコンの表示位置を示す場合に、そのアイコンに割り当てられている処理を実行する機能を有する。
照明制御部１５４は、状態情報が示す状態が変化する毎に、各バックライト（１１３、１２３）を点灯させるのか、バックライト１１３のみを点灯させるのかを切り替えると共に、点灯させるバックライトの明るさを制御する機能を有する。
【００３８】
つまり、照明制御部１５４は、状態情報が示す状態が暗状態へと変化すると、携帯電話機１００を暗モードで動作させるために、各表示部の輝度がＬｏｗレベルになるように、各バックライトを点灯させ、状態情報が示す状態が明状態へと変化すると、携帯電話機１００を明モードで動作させるために、表示部１１１の輝度がＨｉｇｈレベルになるように、バックライト１１３を点灯させ、バックライト１２３を消灯させる。
【００３９】
表示制御部１５５は、状態情報が示す状態が変化する毎に、各表示物を、各表示部（１１１、１２１）に分けて表示させるのか、表示部１１１のみに表示させるのかを切り替えて表示させる機能を有する。
つまり、状態情報が示す状態が暗状態へと変化すると、携帯電話機１００を暗モードで動作させるために、表示制御部１５５は、位置記憶部１４０に記憶されている各表示物についての暗モードでの表示位置を示す座標値に基づいて、各表示物を各表示部に表示させる。即ち、タッチパネル１１０の表示部１１１と対応付けられている論理座標値の範囲（０，０）〜（７９９，４７９）にその座標値が含まれる各表示物を表示部１１１へ表示させ、タッチパネル１２０の表示部１２１と対応付けられている論理座標値の範囲（０，４８０）〜（７９９，９５９）にその座標値が含まれる各表示物を表示部１２１へ表示させる。
【００４０】
また、状態情報が示す状態が明状態へと変化すると、携帯電話機１００を明モードで動作させるために、表示制御部１５５は、位置記憶部１４０に記憶されている各表示物についての明モードでの表示位置を示す座標値に基づいて、各表示物を表示部１１１に表示させる。
また、表示制御部１５５は、処理実行部１５３の処理結果の画面に含まれる各表示物の座標値を、暗モードでの表示位置を示す座標値として位置記憶部１４０に登録する機能を有する。即ち、処理実行部１５３は、暗モードで表示されることを前提に、処理結果の画面を生成する。
【００４１】
また、表示制御部１５５は、ある画面を初めて明モードで表示するときに、その画面に含まれる各表示物についての暗モードでの表示位置を示す座標値に基づいて、明モードでの表示位置を示す座標値を生成し、位置記憶部１４０に登録する機能を有する。
＜明モードでの表示位置を示す座標値の生成方法＞
以下、表示制御部１５５による明モードでの表示位置を示す座標値を生成する方法の一例を説明する。
【００４２】
登録済みである暗モードでの表示位置を示す座標値が、タッチパネル１１０の表示部１１１のマーク表示領域１１０Ｍの座標範囲（０，０）〜（７９９，９９）に含まれている各表示物（図２（ａ）の例では、アンテナマーク１１、時計表示１２、電池マーク１３）、及び登録済みである暗モードでの表示位置を示す座標値が、タッチパネル１１０の表示部１１１と対応付けられている論理座標値の範囲（０，０）〜（７９９，４７９）に含まれている各アイコン（図２（ａ）の例では、該当のアイコンはなし）については、登録済みの暗モードでの表示位置を示す座標値を、そのまま明モードでの表示位置を示す座標値として生成する。
【００４３】
また、登録済みである暗モードでの表示位置を示す座標値が、タッチパネル１２０の表示部１２１と対応付けられている論理座標値の範囲（０，４８０）〜（７９９，９５９）に含まれている各アイコン（図２（ａ）の例では、メールアイコン１５）については、登録済みである暗モードでの表示位置を示す座標値を構成する左上端の座標値を（ｘ１，ｙ１）、右下端の座標値を（ｘ２，ｙ２）と仮定したとすると、左上端の座標値（ｘ１，ｙ１−４８０）、右下端の座標値（ｘ２，ｙ２−４８０）を、明モードでの表示位置を示す座標値として生成する。
【００４４】
但し、この生成した座標値の範囲（ｘ１，ｙ１−４８０）〜（ｘ２，ｙ２−４８０）が、タッチパネル１１０の表示部１１１のマーク表示領域１１０Ｍ（０，０）〜（７９９，９９）に含まれる場合には、左上端の座標値（ｘ１，ｙ１−４８０＋１００）、右下端の座標値（ｘ２，ｙ２−４８０＋１００）を明モードでの表示位置を示す座標値とする。
また、生成した座標値の範囲（ｘ１，ｙ１−４８０）〜（ｘ２，ｙ２−４８０）又は、（ｘ１，ｙ１−４８０＋１００）〜（ｘ２，ｙ２−４８０＋１００）に、他のアイコンについての明モードでの表示位置を示す座標値が含まれる場合には、この生成した座標値のｘ座標又はｙ座標を所定値（例えば１０）ずつずらし、他のアイコンの表示位置とずれるように調整した座標値を、明モードでの表示位置を示す座標値とする。
【００４５】
また、登録済みである暗モードでの表示位置を示す座標値が、タッチパネル１１０の表示部１１１の画像表示領域１１０Ｇの座標範囲に含まれているアイコン以外の各画像、及びタッチパネル１２０の表示部１２１と対応付けられている論理座標値の範囲に含まれているアイコン以外の各画像（図２（ａ）の例では、背景画像１０及び背景画像１４）については、各画像を連結し、タッチパネル１１０の表示部１１１の画像表示領域１１０Ｇ内にセンタリングして表示できるように、その連結した画像の縦横比を維持したまま縮小した縮小画像を生成し、生成した縮小画像の座標値を、明モードでの表示位置を示す座標値として生成する。なお、表示制御部１５５が生成した縮小画像は、他の表示物同様、上記メモリ上に記憶される。
【００４６】
例えば、図２（ａ）の背景画像１０のサイズ（横×縦）は８００×３８０画素であり、背景画像１４のサイズ（横×縦）は８００×４８０画素であるため、背景画像１０及び背景画像１４をそのまま上下方向に連結した場合、連結後の画像のサイズ（横×縦）は８００×８６０画素になる。従って、タッチパネル１１０の表示部１１１の画像表示領域１１０Ｇのサイズ（横×縦）８００×３８０画素内におさまるように、連結後の画像を縦横比を維持したまま３８０／８６０倍に縮小した縮小画像を生成されることになる。
【００４７】
なお、縮小画像をセンタリングして表示するとは、縮小画像の中心が、タッチパネル１１０の表示部１１１の画像表示領域１１０Ｇの中心（３９９，２３９）に表示されるように、縮小画像を表示することをいう。
＜動作＞
次に、上記構成を備える携帯電話機１００の動作について、図５を用いて説明する。
【００４８】
図５は、携帯電話機１００の制御処理を示すフローチャートである。
同図に示す制御処理は、携帯電話機１００の電源がＯＮになると開始され、特に図示していないが、電源がＯＦＦになると終了される。
携帯電話機１００の電源がＯＮになると、制御部１５０は、携帯電話機１００が備える不揮発性メモリ（不図示）に記憶されている待受画面に含まれる各表示物についての暗モードでの表示位置を示す座標値を位置記憶部１４０に登録し、同図に示すように、制御部１５０の状態判定部１５２は、光センサ１３０が測定した明るさが、暗状態と明状態のいずれであるかを判定する（ステップＳ１）。
【００４９】
より詳細には、状態判定部１５２は、光センサ１３０が測定した明るさが、第２閾値以下である場合には、暗状態であると判定し（ステップＳ１：暗状態）、第１閾値以上である場合には、明状態であると判定する（ステップＳ１：明状態）。なお、光センサ１３０が測定した明るさが、第２閾値より大きく、かつ第１閾値未満である場合には、状態判定部１５２は、暗状態であると判定（ステップＳ１：暗状態）することとする。
【００５０】
光センサ１３０が測定した明るさが、暗状態である場合には（ステップＳ１：暗状態）、状態判定部１５２は、暗状態を示すように状態情報を更新する。また、制御部１５０の表示制御部１５５は、状態情報が暗状態を示すように更新されたことに基づいて、位置記憶部１４０に記憶されている待受画面を構成する各表示物についての暗モードでの表示位置を示す座標値を取得し、図２（ａ）に示すように、各タッチパネルの各表示部（１１１及び１２１）に各表示物を表示させ、制御部１５０の照明制御部１５４は、各表示部の輝度がＬｏｗレベルになるように、各バックライト（１１３及び１２３）を点灯させる（ステップＳ２）。即ち、ステップＳ２以降、携帯電話機１００は暗モードで動作することになる。
【００５１】
接触検出部１５１は、いずれかのタッチパネルで指等の接触が検出されたか否かを、いずれかのタッチパッドの入力部（１１２又は１２２）から物理座標値を受領したか否かに基づいて判定し（ステップＳ３）、接触が検出された場合には（ステップＳ３：ＹＥＳ）、接触検出部１５１は、受領した物理座標値を論理座標値に変換する。また、処理実行部１５３は、その論理座標値と位置記憶部１４０に記憶されている各アイコンについての暗モードでの表示位置を示す座標値に基づいて、接触された位置に表示されているアイコンに割り当てられている処理を実行する。また、表示制御部１５５は、処理実行部１５３による処理結果の画面に含まれる各表示物についての暗モードでの表示位置を示す座標値を位置記憶部１４０に登録すると共に、各表示物を、各表示部に表示させる（ステップＳ４）。
【００５２】
なお、接触された位置の論理座標値が、位置記憶部１４０に記憶されているいずれのアイコンの暗モードでの表示位置を示す座標値にも含まれない場合には、処理実行部１５３及び表示制御部１５５は、特に処理を行わない。
例えば、接触された位置の論理座標値が、位置記憶部１４０に記憶されているメールアイコン１５についての暗モードでの表示位置を示す座標値（左上端の座標値と右下端の座標値とで特定される矩形領域）に含まれる場合に、処理実行部１５３は、メールアイコン１５に割り当てられているメールアプリケーションを起動する処理を実行する。また、表示制御部１５５は、例えば、図６（ａ）に示すように、メール画面を各表示部に表示させる。
【００５３】
なお、これまで特に説明していなかったが、各表示物のうち、アイコンについては、そのアイコンについての各モードでの表示位置を示す座標値と対応付けて、その表示物がアイコンであることを示す情報が位置記憶部１４０に登録されているものとする。処理実行部１５３は、この情報に基づいて、位置記憶部１４０に登録されている各暗モードでの表示位置を示す座標値の中からアイコンの暗モードでの表示位置を示す座標値を特定する。この情報は、表示制御部１５５が、処理実行部１５３による処理結果の画面に含まれる各表示物についての暗モードでの表示位置を示す座標値を位置記憶部１４０に登録する際に、処理実行部１５３からの指示に従って登録するものとする。
【００５４】
ステップＳ４の処理を完了し、又はステップＳ３で接触が検出されなかった場合には（ステップＳ３：ＮＯ）、状態判定部１５２は、光センサ１３０が測定した明るさが、暗状態から明状態に変化したか否かを判定し（ステップＳ５）、光センサ１３０が測定した明るさが、第１閾値未満である場合には、暗状態から明状態に変化していないと判定し（ステップＳ５：ＮＯ）、再びステップＳ３から処理を行う。
【００５５】
携帯電話機１００を持ったユーザが、例えば、屋外の日向等に移動し、光センサ１３０が測定した明るさが、第１閾値以上になった場合には、状態判定部１５２は、暗状態から明状態に変化したと判定し（ステップＳ５：ＹＥＳ）、明状態を示すように状態情報を更新する。また、表示制御部１５５は、状態情報が明状態を示すように更新されたことに基づいて、位置記憶部１４０に記憶されている各表示物についての明モードでの表示位置を示す座標値を取得し、表示部１１１のみに画面を表示させ、表示部１２１による表示を停止させ、照明制御部１５４は、表示部１１１の輝度がＨｉｇｈレベルになるようにバックライト１１３を点灯させ、バックライト１２３を消灯させる（ステップＳ６）。即ち、ステップＳ６以降、携帯電話機１００は明モードで動作することになる。
【００５６】
なお、このステップＳ６において、表示制御部１５５は、ステップＳ６を実行する前に各表示部に表示させていた各表示物についての明モードでの表示位置を示す座標値が位置記憶部１４０に登録されているか否かを判定し、登録されていない場合には、上記＜明モードでの表示位置を示す座標値の生成方法＞で説明したように、この各表示物についての明モードでの表示位置を示す座標値を生成し、位置記憶部１４０に登録した上で、各表示物を表示部１１１に表示させる。
【００５７】
ステップＳ６を実行した結果、ステップＳ６の実行前に表示部１１１のマーク表示領域１１０Ｍに表示されていた各マーク及び表示部１１１の画像表示領域１１０Ｇに表示されていたアイコンは、そのままの位置及びサイズで表示され、表示部１２１に表示されていたアイコンは、平行移動するように、表示部１１１上に表示される。また、表示部１１１の画像表示領域１１０Ｇに表示されていたアイコン以外の表示物と、表示部１２１に表示されていたアイコン以外の表示物とは上下に連結され、連結後の画像の縦横比を維持したまま、表示部１１１の画像表示領域１１０Ｇに縮小して表示される。
【００５８】
例えば、ステップＳ６の実行前に各表示部に表示されていた画面が、図２（ａ）に示す待受画面であった場合には、図２（ｂ）に示すように、表示部１１１のみに待受画面が表示される。また、ステップＳ６の実行前に各表示部に表示されていた画面が、図６（ａ）に示すメール画面であった場合には、図６（ｂ）に示すように、表示部１１１のみにメール画面が表示される。
【００５９】
続いて、接触検出部１５１は、上記ステップＳ３と同様に、いずれかのタッチパネルで指等の接触が検出されたか否かを判定し（ステップＳ７）、接触が検出された場合には（ステップＳ７：ＹＥＳ）、処理実行部１５３は、上記ステップＳ４と同様に、接触検出部１５１による変換後の論理座標値と位置記憶部１４０に記憶されている各アイコンについての明モードでの表示位置を示す座標値に基づいて、接触された位置に表示されているアイコンに割り当てられている処理を実行する。また、表示制御部１５５は、処理実行部１５３による処理結果の画面に含まれる各表示物についての暗モードでの表示位置を示す座標値を位置記憶部１４０に登録すると共に、各表示物を、表示部１１１に表示させる（ステップＳ８）。なお、接触された位置の論理座標値が、位置記憶部１４０に記憶されているいずれのアイコンの明モードでの表示位置を示す座標値にも含まれない場合に、処理実行部１５３及び表示制御部１５５は、特に処理を行わないのは、上記ステップＳ４と同様である。
【００６０】
また、表示制御部１５５は、処理実行部１５３による処理結果の画面に含まれる各表示物についての明モードでの表示位置を示す座標値を生成し、位置記憶部１４０に登録した上で、上記表示を行う必要がある。
ステップＳ８の処理を完了し、又はステップＳ７で接触が検出されなかった場合には（ステップＳ７：ＮＯ）、状態判定部１５２は、光センサ１３０が測定した明るさが、明状態から暗状態に変化したか否かを判定し（ステップＳ９）、光センサ１３０が測定した明るさが、第２閾値以上である場合には、明状態から暗状態に変化していないと判定し（ステップＳ９：ＮＯ）、再びステップＳ７から処理を行う。
【００６１】
即ち、前述のように、状態判定部１５２は、光センサ１３０が測定した明るさが、第２閾値以下である場合には、暗状態であると判定し（ステップＳ１）、第１閾値以上である場合には、明状態であると判定し（ステップＳ１）、更に、第２閾値より大きく、かつ、第１閾値未満である場合には、暗状態であると判定する（ステップＳ１）。
従って、ステップＳ９の判定において、光センサ１３０が測定した明るさが第１閾値未満であっても、第２閾値以上の場合であれば、状態としては暗状態であるが、明状態から暗状態へ変化したか否かの判定に対しては、更にこのような場合よりも光センサ１３０が測定した明るさが暗くなり、第２閾値より小さくならなければ、明状態から暗状態への変化として判定せず、ステップＳ９の判定において“ＮＯ”と判定する。
【００６２】
携帯電話機１００を持ったユーザが、例えば、室内に移動し、光センサ１３０が測定した明るさが、第２閾値未満になった場合には、状態判定部１５２は、明状態から暗状態に変化したと判定し（ステップＳ９：ＹＥＳ）、再びステップＳ２から処理を行う。
即ち、表示制御部１５５は、状態情報が暗状態を示すように更新されたことに基づいて、位置記憶部１４０に記憶されている、暗状態に変化する前に表示されていた画面を構成する各表示物についての暗モードでの表示位置を示す座標値を取得し、図２（ａ）に示すように、各タッチパネルの各表示部（１１１及び１２１）に各表示物を表示させ、制御部１５０の照明制御部１５４は、各表示部の輝度がＬｏｗレベルになるように、各バックライト（１１３及び１２３）を点灯させる（ステップＳ２）。ステップＳ２以降、携帯電話機１００は再び暗モードで動作することになり、上記同様にステップＳ３の処理に進む。
【００６３】
一方、ステップＳ１で、光センサ１３０が測定した明るさが、明状態である場合には（ステップＳ１：明状態）、上述のステップＳ６から処理を行う。なお、この際、待受画面に含まれる各表示物についての明モードでの表示位置を示す座標値は、位置記憶部１４０に登録されていないので、表示制御部１５５は、既に登録されている、待受画面に含まれる各表示物についての暗モードでの表示位置を示す座標値に基づいて生成し、位置記憶部１４０に登録した上で、表示を行う必要がある。
【００６４】
≪補足≫
以上、本発明に係る携帯端末を、実施の形態に基づいて説明したが、以下のように変形することも可能であり、本発明は上述した実施の形態で示した通りの携帯電話機に限られないことは勿論である。
（１）実施の形態に係る携帯電話機１００は、スライド式の携帯電話機であるものとして説明したが、折りたたみ式の携帯電話機やストレート型の携帯電話機等、他の外観を有する携帯電話機であってもよい。
【００６５】
例えば、図７（ａ）〜（ｃ）に示されるような折りたたみ式の携帯電話機２００であってもよい。
携帯電話機２００は、タッチパネル２１０及び光センサ２３０を備える第１筐体２０１とタッチパネル２２０を備える第２筐体２０２とが互いに開閉可能に構成されている。
図７（ａ）に示すように、この携帯電話機２００は、第１筐体２０１と第２筐体２０２とが互いに開き、各タッチパネルが視認可能な状態から、図７（ｂ）、（ｃ）に示すように、第１筐体２０１を第２筐体に対して１８０°回転させた後に、第１筐体２０１と第２筐体２０２とを互いに閉じることで、第２筐体２０２が備えるタッチパネル２２０が第１筐体２０１の背後に隠れ、第１筐体２０１が備えるタッチパネル２１０のみが視認可能な状態へとその形状を変化させることができる。
【００６６】
（２）実施の形態に係る携帯電話機１００が明モードで動作する場合に、タッチパネル１２０によるユーザ操作の検出を停止させ、暗モードで動作する場合に、タッチパネル１２０によるユーザ操作の検出を再開させるようにしてもよい。
このユーザ操作の検出を停止する方法として、例えば、接触検出部１５１側で、タッチパネル１２０の入力部１２２から物理座標値を受領しても、特に処理しないようにしてもよいし、入力部１２２への電力供給を停止することで、入力部１２２側で、ユーザによる接触の検出をしないようにしてもよい。
【００６７】
（３）実施の形態に係る携帯電話機１００は、２つのタッチパネル（１１０、１２０）を有するスライド式の携帯電話機であるものとして説明したが、１つの大きなタッチパネルを備える、例えば、ストレート型の携帯電話機等であってもよい。
この場合、１つのタッチパネルの表示部の表示領域を第１表示領域と第２表示領域とに論理的に分割し、第１表示領域用のバックライトと、第２表示領域用のバックライトとを備えるようにする必要がある。暗モードで動作する場合には、第１表示領域及び第２表示領域を用いて表示を行うと共に、各表示領域の輝度がＬｏｗレベルになるように、各バックライトを点灯させ、明モードで動作する場合には、第１表示領域のみを用いて表示を行うと共に、第１表示領域の輝度がＨｉｇｈレベルになるように、第１表示領域用のバックライトを点灯させ、第２表示領域への表示を停止させると共に、第２表示領域用のバックライトを消灯させる。
【００６８】
（４）実施の形態に係る各タッチパネルの入力部は、静電容量方式のタッチセンサにより実現するものとして説明したが、この静電容量方式のタッチセンサとして、多数の電極パターンをプラスチックやガラス等の基板上に形成し、接触点の近傍の複数の電極パターンによる電流量の比率を計測することで判別する投影型や、導電膜と基板とを有して構成され、基板の隅に電極を設け、導電膜による均一な電界を形成し、指等の接触による隅の端子の電流量の比率を計測して接触位置を判別する表面型等、適宜なものを用いることができる。
【００６９】
また、各タッチパネルの入力部は、静電容量方式のタッチセンサにより実現される場合に限らず、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画面に光センサを組み込んで接触位置を検知する光センサ方式等により実現されてもよい。
【００７０】
（５）実施の形態に係る携帯電話機１００は、通常の使用状態において、ユーザから見て、タッチパネル１１０とタッチパネル１２０とが略同一平面上の上下に配置されるものとして説明したが、左右に配置されるようにしてもよい。例えば、タッチパネル１１０を左に、タッチパネル１２０を右に配置した場合、タッチパネル１１０の表示部１１１についての論理座標系における座標値に変更はないが、タッチパネル１２０の表示部１２１についての論理座標系における座標値は以下のように変更される。
【００７１】
即ち、タッチパネル１２０の表示部１２１の左上端の座標値は（８００，０）、右上端の座標値は（１５９９，０）、左下端の座標値は（８００，４７９）、右下端の座標値は（１５９９，４７９）となる。
従って、登録済みである暗モードでの表示位置を示す座標値が、タッチパネル１２０の表示部１２１と対応付けられている論理座標値の範囲（８００，０）〜（１５９９，４７９）に含まれている各アイコンについての明モードでの表示位置を示す座標値の生成方法について、以下のように変形する必要がある。
【００７２】
即ち、登録済みである暗モードでの表示位置を示す座標値を構成する左上端の座標値を（ｘ１，ｙ１）、右下端の座標値を（ｘ２，ｙ２）と仮定したとすると、左上端の座標値（ｘ１−８００，ｙ１）、右下端の座標値（ｘ２−８００，ｙ２）を、明モードでの表示位置を示す座標値として生成する。
但し、この生成した座標値の範囲（ｘ１−８００，ｙ１）〜（ｘ２−８００，ｙ２）が、タッチパネル１１０の表示部１１１のマーク表示領域１１０Ｍ（０，０）〜（７９９，９９）に含まれる場合には、左上端の座標値（ｘ１−８００，ｙ１＋１００）、右下端の座標値（ｘ２−８００，ｙ２＋１００）を明モードでの表示位置を示す座標値とする。
【００７３】
また、生成した座標値の範囲（ｘ１−８００，ｙ１）〜（ｘ２−８００，ｙ２）又は、（ｘ１−８００，ｙ１＋１００）〜（ｘ２−８００，ｙ２＋１００）に、他のアイコンについての明モードでの表示位置を示す座標値が含まれる場合には、この生成した座標値のｘ座標又はｙ座標を所定値（例えば１０）ずつずらし、他のアイコンの表示位置とずれるように調整するのは、実施の形態で説明したのと同様である。また、その他の表示物についての明モードでの表示位置を示す座標値の生成方法については、実施の形態で説明したのと同様である。
【００７４】
（６）実施の形態に係る携帯電話機１００は、図１（ｃ）に示すように開状態で、タッチパネル１１０とタッチパネル１２０とが略同一平面上に配置されるものとして説明したが、ユーザが各タッチパネルを見ることができる態様であれば、どのような配置でもよい。
例えば、開状態で、第１筐体１のタッチパネル１１０の表示部１１１を含む表面と、第２筐体２のタッチパネル１２０の表示部１２１を含む表面とが略平行になるように配置されてもよいし、第１筐体１のタッチパネル１１０の表示部１１１を含む表面と、第２筐体２のタッチパネル１２０の表示部１２１を含む表面との間に、ユーザが各タッチパネルの表示部を見ることができる程度の角度が生じるように配置されてもよい。
【００７５】
また、実施の形態では、各タッチパネルの表示部のＬＣＤの画素数は同一であり、ＬＣＤの形状は、略矩形状であるとして説明したが、各ＬＣＤの画素数は異なってもよいし、各ＬＣＤの形状は、例えば、円形上、その他多角形状であってもよい。
なお、明モードでの表示位置を示す座標値は、ＬＣＤの画素数、形状に応じて、暗モードで表示されていた各表示物が表示部１１１に表示できるように生成する必要があるのは勿論である。
【００７６】
（７）図２では、１つのアイコン（メールアイコン１５）のみが表示されている場合を例に説明したが、複数のアイコンが表示される場合についても、実施の形態で説明したのと同様に実施できる。また、図２では、背景画像と、アイコンとが表示されている例を説明したが、背景画像及びアイコンのうちのいずれかの種類の表示物だけが表示される場合についても、実施の形態で説明したのと同様に実施できる。
【００７７】
また、実施の形態では、マーク表示領域１１０Ｍに各マークが表示される場合を例に説明したが、各マークが表示されない場合についても実施の形態で説明したのと同様に実施できる。なお、この場合、タッチパネル１１０の表示部１１１にマーク表示領域１１０Ｍを設ける必要がないので、表示部１１１の表示領域全体を、画像表示領域１１０Ｇとすることができる。
【００７８】
（８）実施の形態では、図２（ｂ）に示す背景画像１６を、背景画像１０と背景画像１４とを上下に連結しタッチパネル１１０の表示部１１１の画像表示領域１１０Ｇにおさまるように縮小して生成するものとして説明したが、背景画像１０と背景画像１４とそれぞれ縮小してから、連結して生成してもよい。即ち、背景画像１０の縦のサイズは３８０画素であり、背景画像１４の縦のサイズは４８０画素なので、背景画像１０の縦のサイズが、３８０×３８０／（３８０＋４８０）画素になるように、縦横比を維持しつつ縮小し、背景画像１４の縦のサイズが、４８０×３８０／（３８０＋４８０）画素になるように、縦横比を維持しつつ縮小して連結してもよい。
【００７９】
（９）実施の形態で説明した明モードでの表示位置を示す座標値を生成する方法は、一例であり、この方法に限らず、暗モードで表示されていた各表示物が表示部１１１に表示されるように生成できればいずれの方法を用いてもよい。例えば、暗モードでタッチパネル１１０の表示部１１１の画像表示領域１１０Ｇに表示されていたアイコンを、この画像表示領域１１０Ｇの右半分に集め、暗モードでタッチパネル１２０の表示部１２１に表示されていたアイコンをタッチパネル１１０の表示部１１１の画像表示領域１１０Ｇの左半分に集めて表示するように、各アイコンの明モードでの表示位置を示す座標値を生成してもよい。
【００８０】
（１０）実施の形態では、処理実行部１５３は、暗モードで表示されることを前提に、処理結果の画面を生成するものとして説明したが、明モードで表示されることを前提に、処理結果の画面を生成するようにしてもよい。
その場合、表示制御部１５５は、処理実行部１５３が生成した処理結果の画面に含まれる各表示物の座標値を、明モードでの表示位置を示す座標値として位置記憶部１４０に登録し、暗モードで表示する際に、各表示物の暗モードでの表示位置を示す座標値を生成することになる。
【００８１】
この生成方法は、明モードで表示されていた各表示物が、各表示部（１１１、１２１）に分けて表示されるように生成できればいずれの方法を用いてもよいが、以下、この生成方法の一例を説明する。
登録済みである明モードでの表示位置を示す座標値が、タッチパネル１１０の表示部１１１のマーク表示領域１１０Ｍの座標範囲（０，０）〜（７９９，９９）に含まれている各表示物（図２（ｂ）の例では、アンテナマーク１１、時計表示１２、電池マーク１３）については、登録済みの明モードでの表示位置を示す座標値を、そのまま暗モードでの表示位置を示す座標値として生成する。
【００８２】
また、各表示物に複数のアイコンが含まれている場合には、半数のアイコンについては、登録済みの明モードでの表示位置を示す座標値を、そのまま暗モードでの表示位置を示す座標値として生成する。また、残りの半数のアイコンについては、登録済みである明モードでの表示位置を示す座標値を構成する左上端の座標値を（ｘ１，ｙ１）、右下端の座標値を（ｘ２，ｙ２）と仮定したとすると、左上端の座標値（ｘ１，ｙ１＋３８０）、右下端の座標値（ｘ２，ｙ２＋３８０）を、暗モードでの表示位置を示す座標値として生成する。
【００８３】
また、背景画像については、ｙ座標が１００〜１６７に含まれる上画像と、ｙ座標が１６８〜４７９に含まれる下画像とに上下に分割し、上画像をタッチパネル１１０の表示部１１１の画像表示領域１１０Ｇ内に表示できるように、縦横比を維持したまま拡大した拡大画像の座標値を、下画像をタッチパネル１２０の表示部１２１に表示できるように縦横比を維持したまま拡大した拡大画像の座標値を、それぞれ暗モードでの表示位置を示す座標値として生成する。
【００８４】
また、更なる変形として、処理実行部１５３は、処理結果の画像を生成する際の携帯電話機１００のモード（暗モード又は明モード）に応じて表示できるように、処理結果の画面を生成するようにし、表示制御部１５５は、処理実行部１５３がいずれのモードの処理結果の画面を生成したかに応じて、暗モードでの表示位置を示す座標値及び明モードでの表示位置を示す座標値のいずれかとして位置記憶部１４０に登録するようにしてもよい。
【００８５】
（１１）実施の形態では、表示制御部１５５は、明モードで表示する際に、明モードでの表示位置を示す座標値を生成するものとして説明したが、予め生成しておいてもよく、例えば、暗モードでの表示位置を示す座標値を位置記憶部１４０に登録する際に、生成しておいてもよい。このことは、上記（１０）の変形についても同様に適用できる。
（１２）実施の形態に係る携帯電話機１００は、光センサ１３０が測定した明るさが、第２閾値以下である暗状態と、第１閾値以上である明状態との間の変化に応じて、その動作モードを明モードと暗モードとの間で切り替えて動作するものとして説明した。
【００８６】
しかしながら、１つの閾値（例えば、５０００ルクス程度）未満を暗状態とし、この閾値以上を明状態として、この状態の変化に応じて動作モードを切り替えるようにしてもよい。但し、光センサ１３０が測定した明るさが、この閾値の前後で推移する場合に、動作モードが頻繁に切り替わってしまうことが生じ得るため、比較的大きな周期（例えば、数秒毎）で、光センサ１３０が測定した明るさがいずれの状態を示すかの判定を行うようにしてもよい。
【００８７】
（１３）実施の形態では、図５に示す制御処理を、携帯電話機１００の電源がＯＮになったときに開始し、電源がＯＦＦになったときに終了するものとして説明したが、例えば、携帯電話機１００が閉状態から開状態に変形したときに開始し、開状態から閉状態に変形したときに終了するようにしてもよい。なお、この場合、開状態から閉状態に変形した後は、タッチパネル１２０が視認できないことから、明モードで動作する場合と同様に、表示部１１１のみに画面を表示させると共にバックライト１２３は消灯させ、光センサ１３０が測定した明るさが暗状態と明状態のいずれであるかに応じて、表示部１１１の輝度がＬｏｗレベル又はＨｉｇｈレベルになるようにバックライト１１３を点灯させるようにしてもよい。
【００８８】
（１４）いずれかのタッチパネルに対するユーザ操作が最後になされたときから、所定時間以上経過した場合に、各タッチパネルのバックライト（１１３、１２３）を消灯させるようにしてもよい。この場合において、この消灯のタイミングで、図５に示す制御処理を終了し、次に、いずれかのタッチパネルに対するユーザ操作がなされたときに、図５に示す制御処理を開始するようにしてもよい。
【００８９】
（１５）実施の形態では、暗モードにおいて、図６（ａ）に示すように、各タッチパネルの表示部に分かれて表示されていた受信メールの一覧と、その一覧において選択されているメールの内容とが、明モードでは、図６（ｂ）に示すように、上下に連結され縮小されて、タッチパネル１１０の表示部１１１の画像表示領域１１０Ｇに表示されるものとして説明したが、上下でなく、左右に連結されて、タッチパネル１１０の表示部１１１の画像表示領域１１０Ｇに表示できるように、連結後の画像を縮小するようにしてもよい。
【００９０】
また、上下又は左右に連結する際の２つの画像の相対的な位置は２つの画像がタッチパネル１１０の表示部１１１の画像表示領域１１０Ｇに表示できる限度で任意の位置にしてもよい。
例えば、左右に連結する場合に、２つの画像の上端の位置が一致するように連結してもよいし、２つの画像がタッチパネル１１０の表示部１１１の画像表示領域１１０Ｇに表示できる限度で、２つの画像の上端の位置がずれるように連結してもよい。
【００９１】
また、連結する２つの画像のサイズが異なってもよく、この場合の２つの画像の相対的な位置も２つの画像がタッチパネル１１０の表示部１１１の画像表示領域１１０Ｇに表示できる限度で任意の位置にしてもよい。
また、この連結の方向（上下又は左右）は、表示させる画面毎に予め携帯電話機１００のメーカが設定しておいてもよいし、ユーザが設定できるようにしてもよい。
【００９２】
また、連結する際に、連結後の画像がタッチパネル１１０の表示部１１１の画像表示領域１１０Ｇに表示できる限度で、２つの画像をぴったり連結するのではなく、２つの画像の間に隙間を設けるように連結するようにしてもよい。
（１６）実施の形態では、明モードにおける表示を、タッチパネル１１０の表示部１１１を用いて行うものとして説明したが、タッチパネル１２０の表示部１２１を用いて行うようにしてもよい。
【００９３】
また、明モードにおける表示を、いずれのタッチパネルの表示部を用いて行うかを、ユーザが設定できるようにしてもよいし、明モードで動作させる直前にユーザが操作していたタッチパネルの表示部を用いるようにしてもよい。
（１７）実施の形態では、明モードにおける各マーク及び各アイコンのサイズは、暗モードのときの同一であるものとして説明したが、各マークについては視認し得る限度で、各アイコンはユーザ操作ができる限度で、サイズを変更するようにしてもよい。
【００９４】
その場合、例えば、ユーザが任意のサイズを設定できるようにしてもよいし、携帯電話機１００の運用開始時において、何種類かのサイズのマーク及びアイコンを表示部に表示させ、ユーザが視認でき、選択できる（指等を接触させることができる）サイズのマーク及びアイコンを選択できるようにしてもよい。
（１８）実施の形態に係る状態判定部１５２が、光センサ１３０が測定した明るさが暗状態と明状態のいずれであるかを判定する際に用いる第２閾値は、通常の室内や、屋外の日陰に相当する明るさ（１０００ルクス程度）であり、第１閾値は、屋外の日向に相当する明るさ（１０万ルクス程度）であるものとして説明したが、これは一例であり、それ以外の値であってもよく、例えば、ユーザが、任意の値を設定できるようにしてもよい。
【００９５】
（１９）実施の形態に係る携帯電話機１００は、光センサ１３０が測定した明るさに基づいて、自動的に暗モードと明モードとを切り替えるものとして説明したが、ユーザ操作に応じて、暗モードと明モードとを切り替えられるようにしてもよい。
この場合に、暗モードと明モードとを切り替えるためのユーザ操作がなされた際の光センサ１３０が測定した明るさに基づいて、上記第１閾値及び第２閾値を更新するようにしてもよい。例えば、第２閾値が１０００ルクスであり、明モードから暗モードに切り替えるユーザ操作が行われた際の光センサ１３０が測定した明るさが１２００ルクスであったとすると、第２閾値と、光センサ１３０が測定した明るさとの平均値１１００ルクスを新たな第２閾値とするよう更新してもよいし、光センサ１３０が測定した明るさ１２００ルクスを新たな第２閾値とするよう更新してもよい。
【００９６】
（２０）実施の形態では、点灯及び消灯の切り替えが可能であり、点灯時において、２段階の明るさ、即ち、対応する表示部の輝度が、ＬｏｗレベルとＨｉｇｈレベルとのいずれかの輝度になるように制御する各バックライト（１１３、１２３）を用いた例を説明したが、このようなバックライトに限らず、第１輝度と、その第１輝度よりも高い第２輝度と、第１輝度よりも低い第３輝度の３つの輝度の切り替えが可能なバックライトを用いてもよい。
【００９７】
このバックライトを用いた場合、以下のように照明制御部１５４の処理を変形する必要がある。即ち、この変形に係る照明制御部は、光センサ１３０が測定した明るさが、暗状態である場合には、各表示部（１１１、１２１）に第１輝度で画像を表示させるように各バックライトを制御し、光センサ１３０が測定した明るさが、暗状態から明状態に変化した場合には、表示部１１１に第２輝度で画像を表示させるようにバックライト１１３を制御し、かつ、表示部１２１に第３輝度で画像を表示させるようにバックライト１２３を制御する。
【００９８】
この変形に係る照明制御部が、表示部１２１に第３輝度で画像を表示させるようにバックライト１２３を制御する際に、表示制御部１５５は、表示部１２１による表示を停止させないようにしてもよい。なお、省電力の観点からは、表示部１２１による表示を停止させるほうが好ましいのは勿論である。
（２１）実施の形態に係る携帯電話機１００は、２つの表示部（１１１、１２１）を有し、光センサ１３０が測定した明るさが暗状態か明状態かによって、２つの表示部を用いた表示態様と、１つの表示部１１１のみを用いた表示態様とを切り替えて動作するものとして説明したが、３つ以上の表示部を備える携帯電話機に対しても同様に適用できる。
【００９９】
即ち、例えば、３つの表示部を備える携帯電話機においては、光センサ１３０が測定した明るさが暗状態である場合に、３つの表示部にＬｏｗレベルの輝度で画像を表示させ、光センサ１３０が測定した明るさが暗状態から明状態に変化した場合に、１つの表示部に、その変化前に３つの表示部にそれぞれ表示されていた各画像の内容を反映した画像を、Ｈｉｇｈレベルの輝度で表示させると共に、他の２つの表示部の輝度がゼロになるように制御すればよい。
【０１００】
更に、光センサ１３０が測定した明るさが暗状態から明状態に変化した場合に、その変化前に３つの表示部にそれぞれ表示されていた各画像の内容を反映した画像を、１つの表示部に表示させるのではなく、２つの表示部に分けて、Ｈｉｇｈレベルの輝度で表示させると共に、他の一つの表示部の輝度をゼロとしてもよい。
（２２）実施の形態では、制御部１５０が、各タッチパネルの表示部（１１１、１２１）上の座標値を、論理座標値で管理、処理するものとして説明したが、タッチパネルの表示部毎の個別のｘｙ座標系の座標値、即ち物理座標値そのもので管理、処理するようにしてもよい。その場合、位置記憶部１４０には、各モードでの表示位置を示す座標値それぞれと対応付けて表示されるべきタッチパネルの表示部を指定する情報も追加して登録する必要がある。
【０１０１】
（２３）実施の形態において説明した各構成要素のうち、全部又は一部を１チップ又は複数チップの集積回路で実現してもよいし、コンピュータのプログラムで実現してもよいし、その他どのような形態で実現してもよい。
（２４）実施の形態において説明した携帯電話機１００の制御処理（図５参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより実施の形態で示した携帯電話機の各機能が実現される。
【０１０２】
（２５）実施の形態に係る携帯電話機１００に、上記（１）〜（２４）の一部又は全部の変形を組み合わせて適用してもよい。
（２６）本発明に係る携帯端末の実施の形態は、第１表示領域及び第２表示領域を有する表示部と、外部の明るさを測定する光センサと、前記光センサにより測定された明るさが、第１閾値未満である第１状態である場合には、各表示領域に第１輝度で画像を表示させるよう制御し、前記光センサにより測定された明るさが、前記第１閾値以上である第２状態である場合には、前記第１状態において各表示領域にそれぞれ表示されていた第１及び第２の画像の内容を反映した第３の画像を、第１輝度よりも高い第２輝度で第１表示領域に表示させるよう制御すると共に、第２表示領域の輝度を第１輝度よりも低い第３輝度に制御する制御部とを備えることを特徴とする。
【０１０３】
ここで、第３の画像は、第１及び第２の画像が表す内容を反映する内容を表す画像であり、第３の画像を構成する表示物と、第１及び第２の画像を構成する表示物との表示形態は同一でも異なっていてもよい。即ち、第１及び第２の画像を構成する表示物を拡大、縮小した表示物が第３の画像に含まれていてもよいし、第１及び第２の画像を構成する複数の表示物を連結した表示物が第３の画像に含まれていてもよいし、第１及び第２の画像における各表示物の配置と、第３の画像における各表示物の配置とが異なっていてもよい。
【０１０４】
上記構成を備える本発明に係る携帯端末の実施の形態によれば、光センサにより測定された明るさが第２状態である場合において、光センサにより測定された明るさが第１状態であった場合に各表示領域に表示されていた第１及び第２の画像の内容を反映した第３画像を第１表示領域に表示させるので、第１及び第２の画像に表示されていた内容を引き続き表示させることができる。
【０１０５】
また、光センサにより測定された明るさが第２状態である場合に、この携帯端末は、第１表示領域の輝度を高くし、第２表示領域の輝度を低くするので、第１表示領域の視認性の低下を抑制しつつも、表示による消費電力の増大を抑制できる。
（２７）また、前記表示部は、第１表示領域を有し、第１表示領域に光を照射する第１照明部を備える第１ディスプレイと、第２表示領域を有し、第２表示領域に光を照射する第２照明部を備える第２ディスプレイとから構成されており、前記制御部は、前記光センサにより測定された明るさが、前記第１状態である場合には、各表示領域の輝度が前記第１輝度となるように、各照明部に前記照射を行わせ、前記光センサにより測定された明るさが、前記第２状態である場合には、第１表示領域の輝度が前記第２輝度となるように、前記第１照明部に前記照射を行わせ、第２表示領域の輝度が前記第３輝度となるように前記第２照明部による前記照射を行わせることとしてもよい。
【０１０６】
これにより、本発明に係る携帯端末の実施の形態によれば、光センサにより測定された明るさが第２状態である場合に、第１状態であった場合よりも第１表示領域の輝度が高くなるように、第１照明部に第１表示領域への光の照射を行わせると共に、第１状態であった場合よりも第２表示領域の輝度が低くなるように、第２照明部に第２表示領域への光の照射を行わせるので、第１表示領域の視認性の低下を抑制しつつも、表示による消費電力の増大を抑制できる。
【０１０７】
（２８）また、第３輝度はゼロであり、前記制御部は、前記光センサにより測定された明るさが、前記第２状態である場合には、前記第２照明部による前記照射を停止させることとしてもよい。
これにより、本発明に係る携帯端末の実施の形態によれば、光センサにより測定された明るさが第２状態である場合に、第２照明部による第２表示領域への光の照射を停止させるので、表示による消費電力の増大を更に抑制できる。
【０１０８】
（２９）また、前記携帯端末は、更に前記第１ディスプレイの表示面上の接触位置を検出する第１タッチセンサと、前記第２ディスプレイの表示面上の接触位置を検出する第２タッチセンサとを備え、前記制御部は、更に前記光センサにより測定された明るさが、前記第１状態である場合には、各タッチセンサに前記検出を行わせ、前記光センサにより測定された明るさが、前記第２状態である場合には、第２タッチセンサによる前記検出を停止させることとしてもよい。
【０１０９】
これにより、本発明に係る携帯端末の実施の形態によれば、光センサにより測定された明るさが第２状態である場合に、第２タッチセンサによる第２ディスプレイの表示面上の接触位置の検出を停止させるので、この携帯端末における消費電力量を更に抑えることができる。
（３０）また、前記第３の画像は、第１及び第２の画像を構成する複数の表示物のうちの第１種の各表示物を連結及び縮小した画像を含むこととしてもよい。
【０１１０】
これにより、本発明に係る携帯端末の実施の形態によれば、光センサにより測定された明るさが第２状態である場合において、光センサにより測定された明るさが第１状態であった場合に各表示領域に表示されていた第１及び第２の画像を構成する複数の表示物のうちの第１種の各表示物（例えば、背景画像）を連結及び縮小した画像を含む第３の画像が第１表示領域に表示されるので、ユーザは、前記第１状態において各表示領域に表示されていた内容を引き続き参照することができる。
【０１１１】
（３１）また、前記第３の画像は、第１及び第２の画像を構成する１以上の表示物のうちの第２種の各表示物を含むこととしてもよい。
これにより、本発明に係る携帯端末の実施の形態によれば、光センサにより測定された明るさが第２状態である場合において、光センサにより測定された明るさが第１状態であった場合に各表示領域に表示されていた第１及び第２の画像を構成する１以上の表示物のうちの第２種の各表示物（例えば、アイコンや携帯端末の状態を示す各種マーク）を含む第３の画像が第１表示領域に表示されるので、ユーザは、前記第１状態において各表示領域に表示されていた内容を引き続き参照することができる。
【０１１２】
（３２）また、前記制御部は、更に前記光センサにより測定された明るさが、前記第１閾値より小さい第２閾値以下である第３状態である場合に、前記第２状態において第１表示領域に表示されていた第４の画像の内容を反映した第５及び第６の画像を前記第１輝度で各表示領域に分けて表示させるよう制御することとしてもよい。
ここで、第５及び第６の画像は、第４の画像が表す内容を反映する内容を表す画像であり、上記第３の画像と同様に、第５及び第６の画像を構成する表示物と、第４の画像を構成する表示物との表示形態は同一でも異なっていてもよい。
【０１１３】
上記構成を備える本発明に係る携帯端末の実施の形態によれば、前記光センサにより測定された明るさが、前記第１閾値より小さい前記第２閾値以下である第３状態である場合に、光センサにより測定された明るさが前記第２状態であった場合に第１表示領域に表示されていた第４の画像の内容を反映した第５及び第６の画像を第１表示領域と第２表示領域とに分けて表示させるので、ユーザが参照したい内容を引き続き表示させることができる。
【０１１４】
また、前記第１閾値より小さい前記第２閾値を適切に設定することで、前記光センサにより測定された明るさが、前記第１閾値の前後で推移するような場所で使用する場合に、第１表示領域のみを用いた表示と、各表示領域を用いた表示とが頻繁に切り替わってしまうという不都合を防ぐことができる。
また、光センサにより測定された明るさが第３状態である場合に、この携帯端末は、第１表示領域の輝度を第２輝度から第１輝度に下げるので、第１表示領域の視認性の低下を抑制しつつも、表示による消費電力の増大を抑制できる。また、この際、第２表示領域の輝度を第３輝度から第１輝度に上げるので、第２表示領域の視認性も確保できる。
【０１１５】
（３３）また、前記制御部は、更に前記光センサにより測定された明るさが、前記第２状態である場合において、第３の画像を第１表示領域に表示させる際に、第２表示領域への表示を停止させることとしてもよい。
上記構成を備える本発明に係る携帯端末の実施の形態によれば、前記光センサにより測定された明るさが第２状態である場合に、第２表示領域への表示を停止させるので、例えば、第２表示領域への電力供給を停止させることで、更にこの携帯端末の消費電力を低減できる。
【０１１６】
（３４）本発明に係る携帯端末の第１照明部を備える第１ディスプレイと第１タッチセンサ、及び第２照明部を備える第２ディスプレイと第２タッチセンサは、実施の形態に係る携帯電話機１００の表示部１１１と入力部１１２とバックライト１１３とを含むタッチパネル１１０、及び表示部１２１と入力部１２２とバックライト１２３とを含むタッチパネル１２０に相当し、本発明に係る携帯端末の光センサは、実施の形態に係る携帯電話機１００の光センサ１３０に相当し、本発明に係る携帯端末の制御部は、実施の形態に係る携帯電話機１００の制御部１５０に相当する。
【産業上の利用可能性】
【０１１７】
本発明に係る携帯端末は、複数の表示領域に画面を表示させて使用する場合に利用される。
【符号の説明】
【０１１８】
１、２０１    第１筐体
２、２０２    第２筐体
４、４’    連結機構
５    連結駒
６    ガイド溝
７    スピーカ
８    マイク
３０、３０’３１、３１’    ピン
１００、２００    携帯電話機
１１０、１２０、２１０、２２０    タッチパネル
１１１、１２１    表示部
１１２、１２２    入力部
１１３、１２３    バックライト
１３０、２３０    光センサ
１４０    位置記憶部
１５０    制御部
１５１    接触検出部
１５２    状態判定部
１５３    処理実行部
１５４    照明制御部
１５５    表示制御部
【図１】
0005495814.tif 000002
【図２】
0005495814.tif 000003
【図３】
0005495814.tif 000004
【図４】
0005495814.tif 000005
【図５】
0005495814.tif 000006
【図６】
0005495814.tif 000007
【図７】
0005495814.tif 000008